(57)【特許請求の範囲】
【請求項１】
第１のリピータ（１０３）と少なくとも１つの第２のリピータ（１０４）との間の無線リンクの無線特性を判定する第１のノード（１０１）における方法であって、
前記第１のリピータは前記第１のノードによって管理され、前記第１のリピータ（１０３）と前記第２のリピータ（１０４）とは同一周波数中継器であり、前記第１のノード（１０１）と前記第１のリピータ（１０３、２０３）と前記少なくとも１つの第２のリピータ（１０４、２０４）とは無線通信ネットワーク（１００）に備えられ、
前記方法は、
前記第２のリピータ（１０４、２０４）によって測定可能な無線信号を送信するための前記第１のリピータ（１０３、２０３）に対する命令を含む第１のメッセージを前記第１のリピータ（１０３、２０３）に送信する（２１０）工程と、
前記第１のリピータ（１０３、２０３）から受信される前記無線信号について測定を行うための前記少なくとも１つの第２のリピータ（１０４、２０４）に対する命令を含む第２のメッセージを前記少なくとも１つの第２のリピータ（１０４、２０４）に送信する（２２０）工程と、
前記少なくとも１つの第２のリピータ（１０４、２０４）によって、前記第１のリピータ（１０３、２０３）から受信された前記無線信号について測定が行われた測定データを前記少なくとも１つの第２のリピータ（１０４、２０４）から受信する（２６０）工程と、
前記測定データに基づいて、前記第１のリピータ（１０３、２０３）と前記少なくとも１つの第２のリピータ（１０４、２０４）との間の前記無線リンクの無線特性を判定する（２８０）工程とを有し、
前記第１のリピータに対する命令はさらに、前記第１のリピータに測定資源を割当てるための命令を含み、
前記方法はさらに、前記無線通信ネットワーク（１００）に含まれる第３のノード（１０２）に、前記第３のノード（１０２）にデータ送信資源を割当てるための前記第３ノード（１０２）に対する命令を含む第４のメッセージを送信する（２０８）工程を有し、
前記測定資源と前記データ送信資源とは直交しているか、或いは、ほぼ直交している、
ことを特徴とする方法。
【請求項２】
前記無線通信ネットワーク（１００）は第２のノード（１０７）を有し、
前記少なくとも１つの第２のリピータ（１０４、２０４）は前記第２のノード（１０７）によって管理され、
前記第２のメッセージを送信する工程は、前記第２のノード（１０７）を介して送信がなされることを特徴とする請求項１に記載の方法。
【請求項３】
前記無線信号の特性は所定のものであることを特徴とする請求項１又は２に記載の方法。
【請求項４】
前記無線信号の特性は送信電力を含むことを特徴とする請求項１乃至３のいずれか１項に記載の方法。
【請求項５】
前記無線信号はデータ信号、或いは、基準信号であることを特徴とする請求項１乃至４のいずれか１項に記載の方法。
【請求項６】
前記第１のリピータ（１０３、２０３）により送信された前記無線信号を測定する（２５１）工程と、
前記無線信号の測定に基づいて、ノード測定データを生成する工程と、
前記ノード測定データに基づいて、前記第１のリピータ（１０３、２０３）と前記第１のノード（１０１）との間の第２の無線リンクの無線特性を判断する工程とをさらに有することを特徴とする請求項１乃至５のいずれか１項に記載の方法。
【請求項７】
第１のリピータ（１０３）と少なくとも１つの第２のリピータ（１０４）との間の無線リンクの無線特性を判定する構成（５００）を備える第１のノード（１０１）であって、前記第１のノードは前記第１のリピータを管理するように構成され、前記第１のリピータ（１０３）と前記第２のリピータ（１０４）とは同一周波数中継器であり、無線通信ネットワーク（１００）は、前記第１のノード（１０１）と前記第１のリピータ（１０３、２０３）と前記少なくとも１つの第２のリピータ（１０４、２０４）とを備えるように構成され、前記構成（５００）は、
前記第２のリピータ（１０４、２０４）によって測定可能な無線信号を送信するための前記第１のリピータ（１０３、２０３）に対する命令を有するように構成された第１のメッセージを前記第１のリピータ（１０３、２０３）に送信し、さらに前記第１のリピータ（１０３、２０３）から受信される前記無線信号について測定を行うための前記少なくとも１つの第２のリピータ（１０４、２０４）に対する命令を有するように構成される第２のメッセージを前記少なくとも１つの第２のリピータ（１０４、２０４）に送信するように構成される送信ユニット（５１０）と、
前記少なくとも１つの第２のリピータ（１０４、２０４）によって測定可能であり、前記第１のリピータ（１０３、２０３）から受信された前記無線信号で測定可能な、前記少なくとも１つの第２のリピータ（１０４、２０４）からのデータを測定するように構成される受信ユニット（５２０）と、
前記測定されたデータに基づいて、前記第１のリピータ（１０３、２０３）と前記少なくとも１つの第２のリピータ（１０４、２０４）との間の前記無線リンクの無線特性を判断するように構成される判断ユニット（５３０）とを有し、
前記第１のリピータに対する命令はさらに、前記第１のリピータに測定資源を割当てるための命令を含み、
前記送信手段（５１０）はさらに、前記無線通信ネットワーク（１００）に含まれる第３のノード（１０２）に、前記第３のノード（１０２）にデータ送信資源を割当てるための前記第３ノード（１０２）に対する命令を含む第４のメッセージを送信する（２０８）ように構成され、
前記測定資源と前記データ送信資源とは直交しているか、或いは、ほぼ直交している、
ことを特徴とする第１のノード。
【請求項８】
第１のノード（１０１）によって実行される第１のリピータ（１０３、２０３）と少なくとも１つの第２のリピータ（１０４）との間の無線リンクの無線特性の判定に寄与する前記第１のリピータ（１０３）における方法であって、前記第１のリピータ（１０３）と前記第２のリピータ（１０４）とは同一周波数中継器であり、無線通信ネットワークは、前記第１のノード（１０１）と前記第１のリピータ（１０３、２０３）と前記少なくとも１つの第２のリピータ（１０４、２０４）とを備え、前記第１のリピータ（１０３、２０３）は前記第１のノードによって管理されるものであり、前記方法は、
前記第２のリピータ（１０４、２０４）によって測定可能な無線信号を送信するための前記第１のリピータ（１０３、２０３）に対する命令を備える第１のメッセージを前記第１のノード（１０１）から受信する工程と、
前記命令に従って、無線信号を前記少なくとも１つの第２のリピータ（１０４）に送信する工程とを有し、
前記第１のリピータに対する命令はさらに、前記第１のリピータに測定資源を割当てるための命令を含み、
前記無線通信ネットワーク（１００）に含まれる第３のノード（１０２）に、前記測定資源と直交しているか、或いは、ほぼ直交しているデータ送信資源が割当てられる、
ことを特徴とする方法。
【請求項９】
前記無線信号の特性は所定のものであることを特徴とする請求項８に記載の方法。
【請求項１０】
前記無線信号の特性は送信電力を含むことを特徴とする請求項８又は９に記載の方法。
【請求項１１】
前記無線信号はデータ信号、或いは、基準信号であることを特徴とする請求項８乃至１０のいずれか１項に記載の方法。
【請求項１２】
第１のノード（１０１）が実行可能な第１のリピータ（１０３、２０３）と少なくとも１つの第２のリピータ（１０４）との間の無線リンクの無線特性の判定に寄与する構成（７００）を備える前記第１のリピータ（１０３）であって、前記第１のリピータ（１０３）と前記第２のリピータ（１０４）とは同一周波数中継器であり、無線通信ネットワークは、前記第１のノード（１０１）と前記第１のリピータ（１０３、２０３）と前記少なくとも１つの第２のリピータ（１０４、２０４）とを備え、前記第１のノード（１０１）は前記第１のリピータ（１０３、２０３）を管理するように構成され、前記構成（７００）は、
前記第２のリピータ（１０４、２０４）によって測定可能な無線信号を送信するための前記第１のリピータ（１０３、２０３）に対する命令を有するように構成される第１のメッセージを第１のノード（１０１）から受信するように構成される受信ユニット（７１０）と、
前記命令に従って無線信号を前記少なくとも１つの第２のリピータ（１０４）に送信するように構成される送信ユニット（７２０）とを有し、
前記第１のリピータに対する命令はさらに、前記第１のリピータに測定資源を割当てるための命令を含み、
前記無線通信ネットワーク（１００）に含まれる第３のノード（１０２）に、前記測定資源と直交しているか、或いは、ほぼ直交しているデータ送信資源が割当てられる、
ことを特徴とする第１のリピータ。
【発明の詳細な説明】
【技術分野】
【０００１】
本発明は無線通信ネットワークにおける無線リンクの無線特性を判定するための方法および装置に関するものである。特に、本発明は、無線リンクの無線特性を判定する第１のノードにおける方法および装置、無線リンクの無線特性の判定に寄与する第１の中継器（リピータ）における方法および装置、および、無線リンクの無線特性の判定に寄与する第２のリピータにおける方法および装置、および、無線リンクの無線特性の判定を実行する第１のノードへ測定データを供給する第２のノードにおける方法および装置に関する。
【背景技術】
【０００２】
第３世代パートナーシッププロジェクト（３ＧＰＰ）では現在、長期的進化（ＬＴＥ）の概念による最初のリリースの標準化を完了しようとしている。ＬＴＥネットワークばかりでなく、多くの無線通信ネットワークにおいて、ネットワークにおける信号の増幅には増幅転送中継器が使用される。このようにして、例えば、ネットワークにおける無線基地局のセルサイズを拡大することができる。
【０００３】
時にはＬ１中継器としても言及される増幅転送中継器は、同一周波数中継器（ＯＦＲ）と周波数変換中継器（ＦＴＲ）として利用可能である。ＯＦＲは、同一の周波数で受信と送信を行うが、ＦＴＲは第１の周波数で受信を行い、第１の周波数とは異なる第２の周波数で送信を行う。周波数変換中継器に対する同一周波数中継器の利点は、ＯＦＲには周波数領域での２重化損失がないという点である。ＯＦＲは受信に対しては１つの周波数を使用し送信に対しては別の周波数を使用するということがないので、追加的な周波数資源が消費されることはない。さらに、ＯＦＲは、例えば、ＬＴＥで使用されるＯＦＤＭ変調とともに考えると、特に興味のある点である。ＯＦＲの遅延が巡回プレフィックスよりも小さい場合には、直接パスと中継されたパスとは通常のマルチパスと同じ方法で加算される。
【発明の概要】
【発明が解決しようとする課題】
【０００４】
多くの数の同一周波数中継器をセルラネットワークに導入する場合の問題は、それらの同一周波数中継器が望まれない方法で互いに相互作用するかもしれないという点である。より詳細には、図１に示すように、移動局が２つの中継器を介して基地局と通信する場合である。第１のリピータから送信されて基地局で受信される信号は、第２のリピータでも同様に受信される。第２のリピータはその信号を増幅し、その信号を送信する。その信号は第１のリピータによって受信される可能性があり、第１のリピータはその信号を増幅してまた新たに送信する。これらの中継器の間のクロスカップリングがあまりにも強い場合には、これは正帰還干渉を引き起こし、正帰還干渉により移動局と基地局との間の通信を破壊してしまうであろう。このフィードバックの問題は、移動局から無線基地局への送信によって始まる。従来の技術を使用した場合には、この相互作用は、多くの場合に事前に検出することはできなかった。
【０００５】
このタイプの正帰還による不安定さの問題は、図２に示されているように、移動局が２つの復号転送中継器を介して基地局と通信を行う場合には生じない。しかしながら、この状況において、通常は２つの中継器の間の無線リンクでのクロスカップリングに関するある知識が必要である。例えば、クロスカップリングがあまりにも強い場合には、第１の中継器からの送信と第２の中継器の受信とを、時間領域と周波数領域との内の少なくともいずれかにおいて分離することを考えなければならない場合がある。また、中継器間のクロスカップリングを知ることにより、中継伝送と中継受信の統合スケジューリング等の、より進歩した干渉調整方式を実現することができる。従来の技術では、このような中継器間のカップリングを判定するための手段は提供されなかった。
【課題を解決するための手段】
【０００６】
本発明の目的は、無線通信ネットワークにおける中継器の間のクロスカップリングを測定するための代替の方法を見いだし、このような方法を実行するための対応した構成を見いだすことである。
【０００７】
本発明を１つの側面から見れば、この目的は、第１のリピータ或いは中継器“第１のリピータ”と少なくとも１つの第２のリピータ或いは中継器“第２のリピータ”との間の無線リンクの無線特性を判定する第１のノードにおける方法により達成される。第１のリピータは第１のノードによって管理される。第１のノードと第１のリピータと前記少なくとも１つの第２のリピータとは無線通信ネットワークに備えられる。第１のノードは、第１のメッセージを第１のリピータに送信する。ここで、第１のメッセージは、第２のリピータによって測定可能な無線信号を送信するための第１のリピータに対する命令を備える。更なるステップでは、第１のノードは、第２のメッセージを前記少なくとも１つの第２のリピータに送信する。ここで、第２のメッセージは、第１のリピータから受信される無線信号について測定を行うための前記少なくとも１つの第２のリピータに対する命令を備える。次に、第１のノードは、前記少なくとも１つの第２のリピータから測定データを受信する。ここで、その測定データは、前記少なくとも１つの第２のリピータによって測定され、第１のリピータから受信された無線信号で測定されたものである。さらに、第１のノードは、測定データに基づいて、第１のリピータと前記少なくとも１つの第２のリピータとの間の無線リンクの無線特性を判定する。
【０００８】
本発明を別の側面から見れば、この目的は、第１のリピータ或いは中継器“第１のリピータ”と少なくとも１つの第２のリピータ或いは中継器“第２のリピータ”との間の無線リンクの無線特性を判定する構成を備える第１のノードにより達成される。第１のノードは、第１のリピータを管理するように構成される。無線通信ネットワークは、第１のノードと第１のリピータと前記少なくとも１つの第２のリピータとを備えるように構成される。その構成は、第１のメッセージを第１のリピータに送信するように構成される送信ユニットを有する。ここで、第１のメッセージは、第２のリピータによって測定可能な無線信号を送信するための第１のリピータに対する命令を備えるように構成される。その送信ユニットはさらに、第２のメッセージを前記少なくとも１つの第２のリピータに送信するように構成され、第２のメッセージは、第１のリピータから受信される無線信号について測定を行うための前記少なくとも１つの第２のリピータに対する命令を備えるように構成される。さらに、その構成は、前記少なくとも１つの第２のリピータからデータを測定するよう構成される受信ユニットと、測定データに基づいて、第１のリピータと前記少なくとも１つの第２のリピータとの間の無線リンクの無線特性を判定するように構成される判定ユニットとを有する。ここで、その測定データは、前記少なくとも１つの第２のリピータによって測定可能であり、第１のリピータから受信された無線信号について測定可能なものである。
【０００９】
本発明を更に別の側面から見れば、この目的は、第１のノードにより実行される第１のリピータ或いは中継器“第１のリピータ”と少なくとも１つの第２のリピータ或いは中継器“第２のリピータ”との間の無線リンクの無線特性の判定に寄与する第１のリピータにおける方法によって達成される。無線通信ネットワークは、第１のノードと第１のリピータと前記少なくとも１つの第２のリピータとを備える。第１のリピータは第１のノードによって管理される。第１のリピータは、第２のリピータによって測定可能な無線信号を送信するための第１のリピータに対する命令を含む第１のメッセージを第１のノードから受信する。別のステップでは、第１のリピータは、その命令に従って、無線信号を前記少なくとも１つの第２のリピータに送信する。
【００１０】
本発明を更に別の側面から見れば、この目的は、第１のノードにより実行可能な第１のリピータ或いは中継器“第１のリピータ”と少なくとも１つの第２のリピータ或いは中継器“第２のリピータ”との間の無線リンクの無線特性の判定に寄与する構成を備える前記第１のリピータによって達成される。無線通信ネットワークは、第１のノードと第１のリピータと前記少なくとも１つの第２のリピータとを備えるように構成される。第１のノードは、第１のリピータを管理するように構成される。この構成は、第２のリピータによって測定可能な無線信号を送信するための第１のリピータに対する命令を備えるように構成される第１のメッセージを第１のノードから受信するように構成される受信ユニットを備える。さらに、この構成は、その命令に従って無線信号を前記少なくとも１つの第２のリピータに送信するように構成される送信ユニットを備える。
【００１１】
本発明を更に別の側面から見れば、この目的は、第１のノードによって実行される第１のリピータ或いは中継器“第１のリピータ”と少なくとも１つの第２のリピータ或いは中継器“第２のリピータ”との間の無線リンクの無線特性の判定に寄与する第２のリピータにおける方法によって達成される。無線通信ネットワークは、第１のノードと第１のリピータと前記少なくとも１つの第２のリピータとを備える。第１のリピータは第１のノードによって管理される。第２のリピータは、第１のリピータから受信される無線信号について測定を行うための前記少なくとも１つの第２のリピータに対する命令を備える第２のメッセージを第１のノードから受信する。別のステップでは、第２のリピータは、無線信号を第１のリピータからを受信する。そして、第２のリピータは第１のリピータから受信した無線信号について測定を行い、これにより測定データを生成する。更なるステップでは、第２のリピータはその測定データを第１のノードに送信する。
【００１２】
本発明を更に別の側面から見れば、この目的は、第１のノードにより実行可能な第１のリピータ或いは中継器“第１のリピータ”と前記少なくとも１つの第２のリピータ或いは中継器“第２のリピータ”との間の無線リンクの無線特性の判定に寄与する構成を備える少なくとも１つの第２のリピータによって達成される。無線通信ネットワークは、第１のノードと第１のリピータと前記少なくとも１つの第２のリピータとを備えるように構成される。第１のノードは第１のリピータを管理するように構成される。この構成は、第１のノードから、第１のリピータから受信される無線信号について測定を行うための前記少なくとも１つの第２のリピータに対する命令を備えるように構成される第２のメッセージを受信するように構成される受信ユニットを備える。さらに、その受信ユニットは、無線信号を第１のリピータから受信するように構成される。この構成はさらに、第１のリピータから受信可能な無線信号について測定を行うように構成され、これにより、測定データを生成可能な測定ユニットと、その測定データを第１のノードに送信するように構成される送信ユニットとを有する。
【００１３】
本発明を更に別の側面から見れば、この目的は、第１のリピータ或いは中継器“第１のリピータ”と少なくとも１つの第２のリピータ或いは中継器“第２のリピータ”との間の無線リンクの無線特性の判定を実行する第１のノードへ測定データを供給する第２のノードにおける方法によって達成される。無線信号は第１のリピータから送信され、無線信号は前記少なくとも１つの第２のリピータによって測定可能である。そして、第１のリピータと前記少なくとも１つの第２のリピータは、第１のノードと第２のノードによってそれぞれ、管理される。無線通信ネットワークは、第１のノードと第２のノードと第１のリピータと前記少なくとも１つの第２のリピータとを備える。第２のノードは、第１のノードから、無線信号について測定を行うよう前記少なくとも１つの第２のリピータに指示するための命令を備える第１のメッセージを受信する。別のステップでは、第２のノードは、第１のリピータから受信される無線信号について測定を行うための前記少なくとも１つの第２のリピータに対する命令を備える第２のメッセージを前記少なくとも１つの第２のリピータに送信する。次に、第２のノードは、前記少なくとも１つの第２のリピータから測定データを受信する。その測定データは前記少なくとも１つの第２のリピータによって測定され、第１のリピータから受信された無線信号について測定が行われたものである。更なるステップでは、第２のノードは測定データを第１のノードに送信し、これにより、無線リンクの無線特性を判定する第１のノードにその測定データを供給する。
【００１４】
本発明を更に別の側面から見れば、この目的は、第１のリピータ或いは中継器“第１のリピータ”と少なくとも１つの第２のリピータ或いは中継器“第２のリピータ”との間の無線リンクの無線特性の判定を実行するように構成された第１のノードに測定データを供給する構成を備えた第２のノードによって達成される。無線信号は第１のリピータから送信可能であり、その無線信号は前記少なくとも１つの第２のリピータによって測定可能である。第１のノードと第２のノードのそれぞれは、第１のリピータと前記少なくとも１つの第２のリピータをそれぞれ、管理するように構成される。無線通信ネットワークは、第１のノードと第２のノードと第１のリピータと前記少なくとも１つの第２のリピータとを備えるように構成される。この構成は、第１のノードから、無線信号について測定を行うよう前記少なくとも１つの第２のリピータに指示する命令を備えるように構成される第１のメッセージを受信するように構成される受信ユニットを備える。さらに、この構成は、第１のリピータから受信可能な無線信号について測定を行うための前記少なくとも１つの第２のリピータに対する命令を備えるように構成される第２のメッセージを前記少なくとも１つの第２のリピータに送信するように構成される送信ユニットを備える。受信ユニットはさらに、前記少なくとも１つの第２のリピータから測定データを受信するよう構成される。ここで、その測定データは、前記少なくとも１つの第２のリピータによって測定可能であり、第１のリピータから受信された無線信号で測定可能なものである。送信ユニットはさらに、測定データを第１のノードに送信するように構成され、これにより、測定データを無線リンクの無線特性を判定するように構成された第１のノードに供給するように構成される。
【００１５】
無線信号を送信するように構成された第１のリピータによって、中継器の間のクロスカップリングの測定を、ネットワークの他のノードと中継器との内の少なくともいずれで実行することが可能になる。測定したクロスカップリング情報は都合の良いことに、いくつかの中継器の利得を制限するために使用され、例えば、中継器の間のクロスカップリングが低減されることが保証される。測定したクロスカップリング情報はまた、強いクロスカップリングが生じる２つの中継器が最大利得で同時にオンされないことを保証するために用いられる。従って、全ての中継器が必要とされない状況では、強いクロスカップリングが生じる中継器がオフにされているならば、いくつかの中継器は、他の場合に可能であると考えられる利得よりもより高い利得を使用することが許される。従って、中継器間のクロスカップリングを知ることにより、ずっと広い範囲の中継器利得値が、無線通信ネットワークに備えられた第１のノードまたは第２のノード等の制御ノードによって動的に設定される。その結果、無線通信ネットワークにおける中継器間のクロスカップリングを測定する従来技術に代わる方法および構成を提供することができる。
【００１６】
本発明の更なる特徴および利点は、添付の請求の範囲と以下の記述を検討することにより明らかになるであろう。当業者であれば、添付した請求の範囲によって規定される本発明の範囲から逸脱することなく、本発明の異なる特徴を組み合わせて、以下で記述する実施例とは異なる実施例を創造することができることを理解するであろう。
【００１７】
特定の特徴や利点を含む本発明の種々の側面は、以下に示す詳細な記述と添付図面から直ちに理解されるであろう。  
【図面の簡単な説明】
【００１８】
【図１】中継器を備える無線通信ネットワークの概観図である。
【図２】中継器を備える無線通信ネットワークの別の概観図である。
【図３】図１または図２に従う無線通信ネットワークにおいて実行される方法の実施例のフローチャートとシグナリング図とを組み合わせた図である。
【図４】第１のノードにおける方法の実施例のフローチャートである。
【図５】第１のノードにおける、図４に従う方法を実行するように構成される装置構成の実施例のブロック図である。
【図６】第１のリピータにおける方法の実施例のフローチャートである。
【図７】第１のリピータにおける、図６に従う方法を実行するように構成される装置構成の実施例のブロック図である。
【図８】第２のリピータにおける方法の実施例のフローチャートである。
【図９】第２のリピータにおける、図８に従う方法を実行するように構成される装置構成の実施例のブロック図である。
【図１０】第１のノードと第２のノードを備える無線通信ネットワークの概観図である。
【図１１】図１０に従う無線通信ネットワークにおいて実行される方法の実施例のフローチャートとシグナリング図とを組み合わせた図である。
【図１２】第２のノードにおける方法の実施例のフローチャートである。
【図１３】第２のノードにおける、図１２に従う方法を実行するように構成される装置構成の実施例のブロック図である。
【発明を実施するための形態】
【００１９】
以下の説明を通して、適用可能な場合には、同じ参照番号は、同じ要素、同じ部分、同じ項目または同じ特徴を示すために使用されている。
【００２０】
図１と図２には、どのような環境に本願の解決策が適用可能であるかを更に説明するための代表的なネットワークが図示されている。
【００２１】
図１にはＬＴＥ／ＳＡＥネットワークまたはＨＳＰＡネットワーク等の代表的な無線通信ネットワーク１００が示されている。ネットワーク１００は、無線基地局等の第１のノード１０１と通信デバイスまたは無線基地局等の第３のノード１０２を備える。通信デバイスは、セルラ電話機、ＰＤＡ、適切なトランシーバを装備した可搬型コンピュータ、移動端末等であってよい。通信ネットワーク１００は更に、第１のリピータ１０３と少なくとも１つの第２のリピータ１０４を備え、これらは第１のノードによって制御または管理される。通信ネットワーク１００はオプションとして、第３の中継器１０５を備えることができる。中継器１０３、１０４、１０５は同一周波数中継器（ＯＦＲ）であってよい。
【００２２】
実際の動作では、１つの例として、図１に従ったネットワークの動作を以下のシナリオで示すことができる。ＬＴＥ／ＳＡＥネットワークに本願の解決策を適用する場合には、チャネルサウンディング資源を利用して、本願の解決策をアップリンク周波数帯域または時間スロットに適用することが望ましい。チャネルサウンディング資源とは、３ＧＰＰでの用語として知られるアップリンクのサウンディング基準信号（ＳＲＳ）であると理解される。しかしながら、本願の解決策はダウンリンクシナリオにも同様に適用可能であるという点に注意することができる。第３のノード１０２は、矢印１１２で示されているように、データを直接に第１のノードに送信する。追加としてまたは代替として、第３のノード１０２は、矢印１１１、１１０、１１６、および１１３で示されているように、第１のリピータ１０３および第２のリピータ１０４を介してデータを第１のノードに送信する。データが第１のリピータ１０３によって転送される時には、矢印１１５で示されているように、第１のリピータ１０３からの出力は第２のリピータ１０４によって受信され、第２のリピータ１０４はその到来する出力を増幅するかもしれない。同様に、第１のリピータ１０３は、矢印１１４で示されているように、第２のリピータ１０４からの出力を増幅するかもしれない。その結果、第３のノード１０２と第１のノード１０１との間の通信を破壊してしまう望まれない正帰還ループが生成されてしまう。
【００２３】
図２には更なる代表的な無線通信ネットワーク２００が示されている。無線通信ネットワーク２００は図１における無線通信ネットワークと同様である。しかしながら、この例では、通信ネットワークは、第１の中継器２０３と少なくとも１つの第２の中継器２０４とを備える。さらに、通信ネットワーク２００は更なるノード１０６を備え、これは以後、移動端末１０６と呼ぶ。
【００２４】
実際の動作では、次の代表的なダウンリンクシナリオが図２に従うネットワークの典型的な動作を示す。再び、本願の解決策は同様のアップリンクシナリオにも適用可能であるという点に注意されたい。第１のノード１０１は、矢印２１１で示されているように、第１のデータ信号を第１の中継器２０３に送信する。第１の中継器２０３は第１のデータ信号を復号化し、矢印２１３および２１５で示されているように、それを後の時刻に第３のノード１０２に転送する。同時に、第１のノード１０１は、矢印２１２で示されているように、第２のデータ信号を第２の中継器２０４に送信する。第２の中継器２０４はデータ信号を中継し（即ち、復号化して転送する）、それを移動端末１０６に送信することを目的としている。第１の中継器２０３および第１のノード１０１が同時にそれぞれ、第１のデータ信号と第２のデータ信号を送信する時には、第２のデータ信号を受信することになる第２の中継器は、矢印２１５で示されているように、第１のデータ信号も同時に受信するかもしれない。結局、第２の中継器は、第１のデータ信号と第２のデータ信号の両方を受信し、これが互いに干渉する。これは望ましくないことである。
【００２５】
図３には、図１および図２に従った無線通信システムにおいて、無線リンクのクロスカップリングなどの無線特性を判定する代表的な方法で、シグナリングとフローチャートとを組み合わせたものを示している。判定した無線特性に基づいて、ネットワークにおける中継器の利得を調整することにより、ネットワークにおける伝送の品質を改善することができる。
【００２６】
２１０  ステップ２１０では、第１のノード１０１は、第１のメッセージを第１のリピータ１０３、２０３に送信する。ここで、第１のメッセージは、第２のリピータ１０４、２０４によって測定可能な無線信号を送信するための第１のリピータ１０３、２０３に対する命令を備える。第１のリピータは時には検討中中継器として言及されることがあるかもしれない。第１のリピータ１０３から送信される無線信号は、必ずしも受信機が指定されているわけではない。その無線信号を受信することができる任意のノードはその無線信号について測定を行うことができる。更に、第１のリピータは、その無線信号を受信することができる第２のリピータが存在しない場合でもその信号を送信するであろう。本願の解決策の目的は、望まれない干渉の原因となる可能性がある何らかの中継器が近傍に存在するかどうかを見いだすことにあるので、信号を無条件に送信することは合理的である。他の中継器は存在せず、従って、クロスカップリングが存在しないと考えられることが理想的である。
【００２７】
更に、議論のために、第１のノードがダウンリンク帯域（または時間スロット）で無線信号を送信する場合を考えると、先に第３のノード１０２として言及された移動局もまた、第１のリピータ１０３からの無線信号について測定を行うことができる。移動端末は通常、ダウンリンク帯域に対する受信機のみを有し、アップリンク帯域に対する受信機は有さない。従って、第１のリピータがアップリンク帯域で送信する場合には、移動局による測定に関してはあまり関心の対象にはならない。即ち、第１のリピータ１０３は、無線信号を受信する特別なノードを具体的に指定する必要がない。
【００２８】
２２０  ステップ２２０では、第１のノードは第２のメッセージを前記少なくとも１つの第２のリピータ１０４、２０４に送信し、第２のメッセージは、第１のリピータ１０３、２０３から受信される無線信号について測定を行うための前記少なくとも１つの第２のリピータ１０４、２０４に対する命令を備える。前記少なくとも１つの第２のリピータは時には測定中継器として言及されるかもしれない。第２のメッセージは通常、基準信号記述子を含み、おそらくは測定結果の第１のノード１０１への返信のためのアップリンク資源も含むであろう。また、測定中継器の挙動も、このメッセージで規定することができる（即ち、検討中中継器から送信される基準信号の繰り返しを測定中継器が抑止するかどうかということであり、これに関しては以下の議論を参照されたい）。
【００２９】
２３０  オプションのステップ２３０では、第１のノード１０１は第２のリピータ１０４、２０４と第３の中継器１０５との内の少なくともいずれかから確認応答を受信する。
【００３０】
２４０  ステップ２４０では、第１のリピータは、命令に従って前記少なくとも１つの第２のリピータ１０４、２０４に無線信号を送信する。
【００３１】
２５０  ステップ２５０では、第２のリピータ１０４、２０４は、第１のリピータ１０３、２０３から受信する無線信号について測定を行い、これにより測定データを生成する。オプションとして、第３の中継器１０５は、第１のリピータ１０３、２０３から受信する無線信号について測定を行い、例えば、測定データを生成しても良い。測定中継器１０４、１０５は、基準信号受信電力（ＲＳＲＰ）を測定して算出するように構成することができる。
【００３２】
２５１  オプションのステップ２５１では、第１のノード１０１は、第１のリピータ１０３、２０３によって送信された無線信号を測定し、その無線信号の測定に基づいてノード測定データを生成し、そのノード測定データに基づいて、第１のリピータ１０３、２０３と第１のノード１０１との間の第２の無線リンクの無線特性を判定する。
【００３３】
２６０  ステップ２６０では、第１のノードは、前記少なくとも１つの第２のリピータ１０４、２０４と第３の中継器１０５との内の少なくともいずれかから測定データを受信する。ここで、その測定データは前記少なくとも１つの第２のリピータ１０４、２０４によって測定され、第１のリピータ１０３、２０３から受信された無線信号について測定が行われたものである。
【００３４】
２７０  オプションのステップ２７０では、第１のノード１０１は、第２のリピータ１０４、２０４と第３の中継器１０５との内の少なくともいずれかに確認応答を送信する。
【００３５】
２８０  ステップ２８０では、第１のノード１０１は、第１のリピータ１０３、２０３と前記少なくとも１つの第２のリピータ１０４、２０４との間の無線リンクの無線特性を測定データに基づいて判定する。
【００３６】
なお、第１のノード１０１が、自分が制御する中継器に向かって狭い指向性ビームを使用する場合には、原理的に、第１のノード１０１は異なる信号を異なる中継器に対して送信することができる。そのようなシナリオでは、第１のリピータ１０３（即ち、検討中中継器）をターゲットとするビームに基準信号を含めることが可能であり、また、他の全ての中継器に対して、上述したのと同じ方法で、その基準信号について測定を行うように命令または指示することができる。このような解決策の１つの利点は、全ての中継器がそれら自身で基準信号を挿入することが可能ではないネットワークにおいて、即ち、古い従来の中継器が基準信号の挿入が可能な新しい中継器と混在して展開されている場合において、中継器の間のクロスカップリングが測定できる点にある。基準信号の挿入は、データ信号に所定の信号を重畳させることにより実行することができる。
【００３７】
この方法の実施例においては、その方法は中継器から送信される基準信号を割当てることにより検討中中継器を構成設定するオプションのステップを更に備える。このステップは、中継器を最初にネットワークに接続するときに、中継器の初期設定の間に１回だけ実行されると良い。その場合には、基準信号は既に構成されていて、第１のノード１０１或いは制御基地局は、中継器に対して基準信号の送信を開始するよう指示或いは命令することだけが必要である。
【００３８】
図４を参照すると、第１のリピータ１０３或いは中継器２０３“第１のリピータ（１０３、２０３”と少なくとも１つの第２のリピータ１０４或いは中継器２０４“第２のリピータ（１０４、２０４）”との間の無線リンクの無線特性を判定する第１のノード１０１における方法の代表的な実施例が図示されている。第１のリピータは第１のノードによって管理される。第１のノード１０１と第１のリピータ１０３、２０３と前記少なくとも１つの第２のリピータ１０４、２０４とは、無線通信ネットワーク１００に備えられる。以下のステップが実行される。図４ではオプションのステップは点線で描いたボックスで示されている。
【００３９】
２０８  オプションのステップ２０８では、第１のノード１０１は、第４のメッセージを無線通信ネットワーク１００に含まれる第３のノード１０２に送信する。ここで、第４のメッセージは、データ送信資源を第３のノード１０２に割当てるための第３のノード１０２に対する命令を備える。ここで、測定資源とデータ送信資源は、直交またはほぼ直交した資源であって、周波数が重なっていないことが好ましい。このようにして、クロスカップリングの測定は、データを第３のノード１０２から第１のノード１０１に転送している間に同時に実行することができる。
【００４０】
なお、ステップ２０８は、アップリンクシナリオを示唆している。ダウンリンクシナリオの場合には、第１のノード１０１は、データ送信資源でデータを第３のノード１０２に送信する。ここでは、測定資源とデータ送信資源は、直交またはほぼ直交した資源であって、周波数が重なっていないことが好ましい。
【００４１】
２１０  ステップ２１０では、第１のノード１０１は、第１のメッセージを第１のリピータ１０３、２０３に送信する。ここで、第１のメッセージは、第２のリピータ１０４、２０４によって測定可能な無線信号を送信するための第１のリピータ１０３、２０３に対する命令を備える。オプションとして、第１のリピータ１０３、２０３に対する命令は、測定目的で信号を送信する第１のリピータによって使用される測定資源を割当てる命令を更に備える。
【００４２】
２２０  ステップ２２０では、第１のノード１０１は、第２のメッセージを前記少なくとも１つの第２のリピータ１０４、２０４に送信する。ここで、第２のメッセージは、第１のリピータ１０３、２０３から受信される無線信号について測定を行うための前記少なくとも１つの第２のリピータ１０４、２０４に対する命令を備える。
【００４３】
２６０  ステップ２６０では、第１のノード１０１は、前記少なくとも１つの第２のリピータ１０４、２０４から測定データを受信する。ここで、その測定データは、前記少なくとも１つの第２のリピータ１０４、２０４によって測定され、そして、第１のリピータ１０３、２０３から受信された無線信号について測定が行われたものである。
【００４４】
２８０  ステップ２８０では、第１のノード１０１は、測定データに基づいて、第１のリピータ１０３、２０３と前記少なくとも１つの第２のリピータ１０４、２０４との間の無線リンクの無線特性を判定する。
【００４５】
第１のノード１０１における方法のいくつかの実施例において、第１のノード１０１は、第１のノードにより制御或いは管理される全ての中継器を通して反復処理を行って、第１のノード１０１により制御される中継器の間の無線リンクの全てのクロスカップリングの測定結果を得る。
【００４６】
図４に従う第１のノード１０１における方法のいくつかの実施例において、図１０に示されているように、無線通信ネットワーク１００は更に第２のノード１０７を備える。前記少なくとも１つの第２のリピータ１０４、２０４は第２のノード１０７によって管理される。ステップ２２０では、第２のメッセージが第２のノード１０７を介して送信される。このようにして、第１のノード１０１は、異なるノード、典型的には基地局によって制御される中継器の間の無線リンクのクロスカップリングの測定結果を得ることができる。
【００４７】
異なるノードによって制御される中継器の間の無線リンクのクロスカップリングを判定するときには、近隣セルの中の中継器の識別子や現在の中継器の利得設定等のような情報に関心があるかもしれない。この情報があれば、ネットワークで実行され数多くの測定とともに、エアインタフェースを通して送信され数多くの測定設定コマンドと測定報告を限定することが可能である。
【００４８】
例えば、ある特定の第１のリピータに対するクロスカップリングが問題になるという中継器が近隣セルの中にただ１つだけあるという次の場合を考えてみる。この場合、中継器間のクロスカップリング測定が数回（例えば、周期的に）実行される場合には、その特定の第１のリピータにより基準信号が送信される度ごとに、近隣セルの全ての中継器が測定を実行することは必ずしも必要ではないかもしれない。このため、近隣セルの中継器の識別子（物理的識別子とグローバル識別子との内の少なくともいずれか）を知り、クロスカップリングが問題になるとわかっている特定の中継器により測定が実行されるように要求する必要がある。
【００４９】
現在の中継器利得設定（オン／オフまたは実際の利得値、周波数選択、或いは、広帯域平均）に関する情報が、この状況では重要である。なぜなら、これは、複合チャネルが測定される、即ち、関与する全ての中継器が、検討中中継器から送信された基準信号で同時に測定されるとともにそれを中継したという意味で測定が実行された場合には、測定を正しく解釈するために、この情報を知る必要があるかもしれないからである。この状況で、複合チャネルは、第１のリピータから第２のリピータへのパスと第２のリピータから第１のリピータへのパスにより構成される。しかしながら、全ての中継器が基準信号を同時に中継するのは望ましくない。
【００５０】
第１のノード１０１における方法のいくつかの実施例において、無線信号の特性は事前に規定されている。このようにして、第１のメッセージは、無線信号を送信するための第１のリピータ１０３、２０３に対する命令を備えるだけでよい。即ち、送信される無線信号の信号特性は特定することは必ずしも必要ではない。従って、より短いメッセージを送信することができるという点が利点である。
【００５１】
第１のノード１０１における方法のいくつかの実施例において、無線信号の特性は送信電力を備える。第１のリピータの送信電力が既知である場合には、第２のリピータは受信電力の測定値を提供することができる。その結果、第１のリピータと第２のリピータとの間のパス利得は、第２のリピータで受信された無線信号電力と第１のリピータから送信された既知の無線信号電力との間の比として決定される。さらに、送信電力に加えて、ある帯域幅にわたって検査信号が送信されるとか、或いは、第１のリピータによってあるシーケンスが送信される等のような追加的な情報も知らせることもできる。従って、第２のリピータは、受信無線信号電力を測定する時には、この追加的な情報（上述のような帯域幅またはシーケンスの情報）を使用することができる。
【００５２】
第１のノード１０１における方法のいくつかの実施例において、無線信号は任意のデータ信号或いは基準信号である。無線信号或いは検査無線信号がいずれかのデータ信号である場合には、第２のリピータは、どのチャネル資源をその無線信号が占有或いは使用しているかを知る必要がある。無線資源はいずれの他の目的にも使用されていないということを第２のリピータが前提とする場合には、第２のリピータは、その無線資源での受信電力の合計を推定する（非コヒーレント的に）ことができる。その場合、ランダムに選択した任意の信号は、そのランダムに選択した信号の帯域幅を第２のリピータに知られている限り、作用することができる。この利点は、第２のリピータは、非コヒーレントエネルギー検出器が続く第１のリピータからの送信信号と同じ帯域幅に対するフィルタリングユニットを必要とするだけであるという点にある。測定時間の間にこのフィルタリングユニットを通過する全ての信号は、第１のリピータから送信されたと仮定される。従って、第２のリピータのハードウェアは、第２のリピータが、ある基準信号との相関をとることを実行することが期待される場合と比較して、あまり複雑でない形にすることができる。
【００５３】
第１のノード１０１における方法のいくつかの実施例において、この方法は更に以下のステップを備える。
【００５４】
２５１  ステップ２５１（図４では不図示）では、第１のノード１０１は、第１のリピータ１０３、２０３により送信された無線信号を測定する。第１のノード１０１は、無線信号の測定に基づいてノード測定データを更に生成し、そのノード測定データに基づいて、第１のリピータ１０３、２０３と第１のノード１０１との間の第２の無線リンクの無線特性を判定する。この方法では、第１のノード１０１と検討中中継器との間のクロスカップリングも測定される。都合の良いことに、第１のノードと第１のリピータとの間のクロスカップリングに関する情報を得るために別個の手順が必要であるということが少なくなるか、別個の手順が必要でなくなることさえある。
【００５５】
ネットワークの全ての中継器が可能性としては、互いに相互作用することがあるので、中継器間の測定を実行するときにはこれらの相互作用を考慮に入れることが重要である。２つのシナリオを考慮することができる。これらは、関与する全ての中継器の正規の動作の間に測定を実行する場合か、または関与する中継器のいずれもが動作状態にないときに測定を実行する場合である。
【００５６】
第１の場合、即ち、正規の動作の間には、中継器は周波数の選択的繰り返しを実行するという可能性を有することが必要とされる。検討中中継器、即ち、他の中継器に対するクロスカップリングが測定される中継器には、測定している全ての中継器により抑圧されるかもしれない基準信号が割当てられる。第１のノード１０１は中継器１０３に指示を与えて基準信号を送信させ、他の中継器１０４と１０５に測定させる。測定が関与する中継器の間のクロスカップリングを含んでいないことを保証するために、測定している各中継器は、第１のリピータにより送信される測定信号を抑圧し、中継信号からそれを除去する必要がある。この抑圧は、例えば、第２のリピータで、第１のリピータが測定信号を挿入したサブバンドをフィルタすることにより行うことができる。この方法では、データ信号は測定中継器１０４、１０５によって転送される一方で、測定中継器１０４、１０５は同時に、基準信号をフィルタする。結果として、この測定は正規の動作、即ち、通信デバイス等の第２のノード１０２からのアップリンク信号の形で行われるデータの送信に対して擾乱を与えない。
【００５７】
第２の場合は、検討中中継器は基準信号を送信していて、中継器１０４、１０５は何も転送していない場合であり、これは、例えば、ネットワークが動作状態に置かれる前に、またはトラフィックが低い時間帯の間に生ずる可能性がある。アクティブなユーザの数が少ない等の特定な環境にある間には、時折、短い時間間隔の間いくつかの中継器のスイッチを切り、１組の中継器間測定を実行することが許容できるかも知れない。ネットワークに構成要素が追加されたり、ネットワークから構成要素が取り除かれるということがない限り、中継器結合は同じであるので、これは許容可能であり、かつ単純な解決策であるかもしれない。従って、例えば、新しい中継器が搬入される度ごとに、近隣セルの現存する全ての中継器は、短い時間間隔の間スイッチを切り、新しい中継器に対するクロスカップリングが測定できるようにしなければならない。いくつかの中継器のスイッチが切られる場合には、本願の解決策はダウンリンクまたはアップリンクに適用することができる。
【００５８】
第１のノード１０１の調整機能は、運用支援システム（ＯＳＳ）や移動管理エンティティ（ＭＭＥ）等の他の任意のネットワークノードで実施することができるという点に注意することができる。
【００５９】
なお、第１のノード１０１がＲ個の中継器の間のクロスカップリングを判定する場合には、第１のノード１０１は通常、第１のリピータから開始して、測定を行う第１の基準信号を他の全ての（Ｒ−１）個の中継器に対して送信或いは送信するように命令する。次に、第２のステップでは、第１のノードは第２のリピータを選択して、第１の基準信号と同一であるかもしれない第２の基準信号を送信し、第２の基準信号について測定を行うように残りの（Ｒ−２）個の中継器に対して命令する。なお、第１のリピータと第２のリピータとの間のチャネルは通常、相反的であるので、第１のリピータが、第２のステップにおいて第２のリピータについて測定を行うことは必ずしも必要ではない。第１のノード１０１はｎ番目の中継器へと連続して行き、ｎ番目の中継器は基準信号を送信し、残りの（Ｒ−ｎ）個の中継器は測定をｎ＝Ｒ−１となるまで行う。この方法で中継器間のチャネル識別処理を実行することにより、測定の数と測定報告を最小にすることができる。
【００６０】
図５に、第１のノード１０１の構成５００の実施例を示す。これは、第１のリピータ１０３或いは中継器２０３“第１のリピータ（１０３、２０３）”と少なくとも１つの第２のリピータ１０４或いは中継器２０４“第２のリピータ（１０４、２０４）”との間の無線リンクの無線特性を判定するための構成である。第１のノードは、第１のリピータ１０３、２０３を管理するように構成される。無線通信ネットワーク１００は、第１のノード１０１と第１のリピータ１０３、２０３と前記少なくとも１つの第２のリピータ１０４、２０４とを備えるように構成される。この構成は、第１のメッセージを第１のリピータ１０３、２０３に送信するように構成される送信ユニット５１０を備える。ここで、第１のメッセージは、第２のリピータ１０４、２０４によって測定可能な無線信号を送信するための第１のリピータ１０３、２０３に対する命令を備えるように構成される。さらに、送信ユニット５１０は、第２のメッセージを前記少なくとも１つの第２のリピータ１０４、２０４に送信するように構成される。ここで、第２のメッセージは、第１のリピータ１０３、２０３から受信される無線信号について測定を行うための前記少なくとも１つの第２のリピータ１０４、２０４に対する命令を備えるように構成される。この構成は更に、前記少なくとも１つの第２のリピータ１０４、２０４からのデータを測定するように構成される受信ユニット５２０を備える。ここで、その測定データは前記少なくとも１つの第２のリピータ１０４、２０４によって測定可能であり、そして、第１のリピータ１０３、２０３から受信された無線信号について測定可能なものである。さらに、この構成は、その測定データに基づいて、第１のリピータ１０３、２０３と前記少なくとも１つの第２のリピータ１０４、２０４との間の無線リンクの無線特性を判定するよう構成される判定ユニット５３０を備える。
【００６１】
第１のノード１０１の構成５００のいくつかの実施例において、無線通信ネットワーク１００は更に第２のノード１０７を備え、第２のノード１０７は前記少なくとも１つの第２のリピータ１０４、２０４を管理するように構成される。送信ユニット５１０は更に、第２のノード１０７を介して第２のメッセージを送信するように構成される。第１のノード１０１における対応した方法に関して同一または同様の利点が当てはまる。
【００６２】
第１のノード１０１の構成５００のいくつかの実施例において、送信ユニット５１０は更に、第３のメッセージを第１のリピータ１０３、２０３に送信するように構成される。ここで、第３のメッセージは、測定資源を第１のリピータに割り当てるための第１のリピータ１０３、２０３に対する命令を備える。さらに、送信ユニット５１０は、無線通信ネットワーク１００に含まれる第３のノード１０２に第４のメッセージを送信するように構成される。ここでは、第４のメッセージは、データ送信資源を第３のノード１０２に割当てるための第３のノード１０２に対する命令を備える。ここで、その測定資源とデータ送信資源とは、直交或いはほぼ直交した資源であって、周波数が重なっていないことが好ましい。結果として、測定中継器は、フィルタリングによって、無線信号或いは基準信号を抑止することができる。それにより、第３のノード１０２からのデータが、無線信号によって影響を受けることなく、または殆ど影響を受けることなく、第１のノード１０１に転送されることが可能になる。また、結果として、ネットワークの動作は正常に進行することができ、即ち、予防策を必要せずに無線特性の測定を実行することができる。
【００６３】
第１のノード１０１の構成５００のいくつかの実施例において、無線信号の特性は事前に規定されている。第１のノード１０１における対応した方法に関して同様のまたは同一の利点および効果が当てはまる。
【００６４】
第１のノード１０１の構成５００のいくつかの実施例において、無線信号の特性は送信電力を含む。第１のノード１０１における対応した方法に関して同様のまたは同一の利点および効果が当てはまる。
【００６５】
第１のノード１０１の構成５００のいくつかの実施例において、無線信号は任意のデータ信号或いは基準信号である。第１のノード１０１における対応した方法に関して同様のまたは同一の利点および効果が当てはまる。
【００６６】
第１のノード１０１の構成５００のいくつかの実施例においては、構成５００は、第１のリピータ１０３、２０３によって送信された無線信号を測定し、その無線信号の測定に基づいてノード測定データを生成し、そのノード測定データに基づいて第１のリピータ１０３、２０３と第１のノード１０１との間の第２の無線リンクの無線特性を判定するように構成される測定ユニット（不図示）を備える。
【００６７】
図６に、第１のノード１０１により実行される第１のリピータ１０３或いは中継器２０３“第１のリピータ（１０３、２０３）”と少なくとも１つの第２のリピータ１０４または中継器２０４“第２のリピータ（１０４、２０４）”との間の無線リンクの無線特性の判定に寄与する第１のリピータ１０３、２０３における代表的な方法のフローチャートを示す。無線通信ネットワークは、第１のノード１０１と第１のリピータ１０３、２０３と前記少なくとも１つの第２のリピータ１０４、２０４とを備える。第１のリピータ１０３、２０３は第１のノードによって管理される。
【００６８】
２１０  ステップ２１０では、第１のリピータ１０３、２０３は、第１のノード１０１から第１のメッセージを受信する。ここで、第１のメッセージは、第２のリピータ１０４、２０４によって測定可能な無線信号を送信するための第１のリピータ１０３、２０３に対する命令を備える。従って、中継器等の他のノードによる測定が可能になる。
【００６９】
２４０  ステップ２４０では、第１のリピータ１０３、２０３は、その命令に従って、無線信号を前記少なくとも１つの第２のリピータ１０４、２０４に送信する。都合の良いことに、別のノードは、第１のリピータと別のノード自身との間の無線リンクについて測定を行うことが可能になる。
【００７０】
第１のリピータ１０３、２０３における方法のいくつかの実施例において、無線信号の特性は事前に規定されている。第１のノード１０１における対応した方法に関して同様のまたは同一の利点および効果が当てはまる。
【００７１】
第１のリピータ１０３、２０３における方法のいくつかの実施例において、無線信号の特性は送信電力を含む。第１のノード１０１における対応した方法に関して同様のまたは同一の利点および効果が当てはまる。
【００７２】
第１のリピータ１０３、２０３における方法のいくつかの実施例において、無線信号は任意のデータ信号或いは基準信号である。第１のノード１０１における対応した方法に関して同様のまたは同一の利点および効果が当てはまる。
【００７３】
図７は、第１のノード１０１により実行可能な第１のリピータ１０３或いは中継器２０３“第１のリピータ（１０３、２０３）”と少なくとも１つの第２のリピータ１０４或いは中継器２０４“第２のリピータ（１０４、２０４）”との間の無線リンクの無線特性の判定に寄与する第１のリピータ１０３、２０３における代表的な構成７００のブロック図を示す。無線通信ネットワークは、第１のノード１０１と第１のリピータ１０３、２０３と前記少なくとも１つの第２のリピータ１０４、２０４とを備えるように構成される。第１のノード１０１は、第１のリピータ１０３、２０３を管理するように構成される。この構成は、第１のノード１０１から第１のメッセージを受信するように構成される受信ユニット７１０を備える。ここで、第１のメッセージは、第２のリピータ１０４、２０４によって測定可能な無線信号を送信するための第１のリピータ１０３、２０３に対する命令を備えるように構成される。さらに、この構成は、命令に従って無線信号を前記少なくとも１つの第２のリピータ１０４、２０４に送信するように構成される送信ユニット７２０を備える。
【００７４】
第１のリピータ１０３、２０３の構成７００のいくつかの実施例において、無線信号の特性は事前に規定されている。第１のノード１０１における対応した方法に関して同様のまたは同一の利点および効果が当てはまる。
【００７５】
第１のリピータ１０３、２０３の構成７００のいくつかの実施例において、無線信号の特性は送信電力を含む。第１のノード１０１における対応した方法に関して同様のまたは同一の利点および効果が当てはまる。
【００７６】
第１のリピータ１０３、２０３の構成７００のいくつかの実施例において、無線信号は任意のデータ信号或いは基準信号である。第１のノード１０１における対応した方法に関して同様のまたは同一の利点および効果が当てはまる。
【００７７】
図８は、第１のノード１０１により実行される第１のリピータ１０３或いは中継器２０３“第１のリピータ（１０３、２０３）”と少なくとも１つの第２のリピータ１０４或いは中継器２０４“第２のリピータ（１０４、２０４）”との間の無線リンクの無線特性の判定に寄与する少なくとも１つの第２のリピータ１０４、２０４における代表的な方法のフローチャートを示す。無線通信ネットワーク１００は、第１のノード１０１と第１のリピータ１０３、２０３と前記少なくとも１つの第２のリピータ１０４、２０４とを備える。第１のリピータ１０３、２０３は第１のノード１０１によって管理される。この方法は以下のステップを備える。
【００７８】
２２０  ステップ２２０では、前記少なくとも１つの第２のリピータ１０４、２０４は第２のメッセージを第１のノード１０１から受信する。ここで、第２のメッセージは、第１のリピータ１０３、２０３から受信される無線信号について測定を行うための前記少なくとも１つの第２のリピータ１０４、２０４に対する命令を備える。
【００７９】
２４０  ステップ２４０では、前記少なくとも１つの第２のリピータ１０４、２０４は、第１のリピータ１０３、２０３から無線信号を受信する。
【００８０】
２５０  ステップ２５０では、前記少なくとも１つの第２のリピータ１０４、２０４は、第１のリピータ１０３、２０３から受信した無線信号について測定を行い、これにより測定データを生成する。
【００８１】
２６０  ステップ２６０では、前記少なくとも１つの第２のリピータ１０４、２０４は、測定データを第１のノード１０１に送信する。
【００８２】
前記少なくとも１つの第２のリピータ１０４、２０４における方法のいくつかの実施例において、前記少なくとも１つの第２のリピータ１０４、２０４は第１のノード１０１によって管理される。異なった表現をすれば、第１のリピータと第２のリピータ１０３、２０３、１０４、２０４は同一のノード１０１によって制御または管理される。
【００８３】
前記少なくとも１つの第２のリピータ１０４、２０４における方法のいくつかの実施例において、前記少なくとも１つの第２のリピータ１０４、２０４は第２のノード１０７によって管理される。無線通信ネットワーク１００は更に第２のノード１０７を備える。さらに、受信ステップ２２０では、第２のメッセージは第２のノードを介して第１のノード１０１から受信される。また、前記少なくとも１つの第２のリピータ１０４、２０４は、第２のノード１０７を介して第１のノード１０１に測定データを送信する。都合の良いことに、異なるノード１０１、１０７によって制御される中継器の間のクロスカップリングの測定が可能になる。
【００８４】
前記少なくとも１つの第２のリピータ１０４、２０４における方法のいくつかの実施例において、無線通信ネットワーク１００は、通信デバイスや無線基地局等の第３のノード１０２を備える。この方法は、以下のオプションのステップを更に備えることができる。これらは、図８では、点線で描かれたボックスで示されている。
【００８５】
２４４  ステップ２４４では、前記少なくとも１つの第２のリピータ１０４、２０４は、データを含む前記少なくとも１つの第２のリピータにより転送される情報無線信号を第３のノード１０２から受信する。その情報無線信号は、第１のノード１０１によって第３のノード１０２に割当てられたデータ送信資源で送信される。
【００８６】
２４８  ステップ２４８では、前記少なくとも１つの第２のリピータ１０４、２０４は情報無線信号を第１のノード１０１に送信する。従って、その情報無線信号はデータ送信資源で送信される一方、第１のリピータ１０３、２０３から受信する無線信号を、例えばフィルタリングによって、抑止する。無線信号は測定資源で送信される。なお、測定資源とデータ送信資源は、直交或いはほぼ直交した資源であって、周波数が重なっていないことが好ましい。
【００８７】
前記少なくとも１つの第２のリピータ１０４、２０４における方法のいくつかの実施例において、無線信号の特性は事前に規定されている。第１のノード１０１における対応した方法に関して同様のまたは同一の利点および効果が当てはまる。
【００８８】
前記少なくとも１つの第２のリピータ１０４、２０４における方法のいくつかの実施例において、無線信号の特性は送信電力を含む。第１のノード１０１における対応した方法に関して同様のまたは同一の利点および効果が当てはまる。
【００８９】
前記少なくとも１つの第２のリピータ１０４、２０４における方法のいくつかの実施例において、無線信号は任意のデータ信号或いは基準信号である。第１のノード１０１における対応した方法に関して同様のまたは同一の利点および効果が当てはまる。
【００９０】
図９は、第１のノード１０１により実行可能な第１のリピータ１０３或いは中継器２０３“第１のリピータ（１０３、２０３）”と少なくとも１つの第２のリピータ１０４或いは中継器２０４“第２のリピータ（１０４、２０４）”との間の無線リンクの無線特性の判定に寄与する前記少なくとも１つの第２のリピータ１０４、２０４が備える代表的な構成９００のブロック図を示す。無線通信ネットワーク１００は、第１のノード１０１と第１のリピータ１０３、２０３と前記少なくとも１つの第２のリピータ１０４、２０４とを備えるように構成される。第１のノード１０１は、第１のリピータ１０３、２０３を管理するように構成される。構成９００は、第２のメッセージを第１のノード１０１から受信するように構成される受信ユニット９１０を備える。ここで、第２のメッセージは、第１のリピータ１０３、２０３から受信される無線信号について測定を行うための前記少なくとも１つの第２のリピータ１０４、２０４に対する命令を備えるように構成される。受信ユニット９１０は更に、第１のリピータ１０３、２０３から無線信号を受信するように構成される。さらに、構成９００は、第１のリピータ１０３、２０３から受信可能な無線信号について測定を行うように構成され、それにより、測定データを生成可能な測定ユニット９２０を備える。構成９００は更に、その測定データを第１のノード１０１に送信するように構成される送信ユニット９３０を備える。
【００９１】
前記少なくとも１つの第２のリピータ１０４、２０４の構成９００のいくつかの実施例において、前記少なくとも１つの第２のリピータ１０４、２０４は、第１のノード１０１によって管理される。異なった表現をすれば、第１のリピータ１０３、２０３と第２のリピータ１０４、２０４は同一のノードによって管理または制御される。
【００９２】
前記少なくとも１つの第２のリピータ１０４、２０４の構成９００のいくつかの実施例において、前記少なくとも１つの第２のリピータ１０４、２０４は、第２のノード１０７によって管理される。無線通信ネットワーク１００は更に、第２のノード１０７を備える。さらに、受信ユニット９１０は、第２のメッセージを第２のノード１０７を介して第１のノード１０１から受信するように構成される。さらに、送信ユニット９３０は、第２のノード１０７を介して第１のノード１０１に測定データを送信するように構成される。この方法では、構成９００は、基地局等の異なるノードによって制御される中継器の間のクロスカップリングの測定を扱うように構成される。図１０と図１１を参照されたい。
【００９３】
前記少なくとも１つの第２のリピータ１０４、２０４の構成９００のいくつかの実施例において、無線通信ネットワーク１００は第３のノード１０２を備える。受信ユニット９１０は更に、データを含む前記少なくとも１つの第２のリピータによって転送される情報無線信号を第３のノード１０２から受信するように構成される。ここで、その情報無線信号は、第１のノード１０１によって第３のノード１０２に割当てられたデータ送信資源ので送信される。さらに、送信ユニット９３０は、その情報無線信号を第１のノード１０１に送信するように構成される。ここで、その情報無線信号はデータ送信資源で送信される一方で、第１のリピータ１０３、２０３から受信された無線信号は、例えばフィルタリングによって抑止される。ここで、その無線信号は測定資源で送信される。その測定資源とデータ送信資源は、直交或いはほぼ直交した資源であって、周波数が重なっていないことが好ましい。
【００９４】
前記少なくとも１つの第２のリピータ１０４、２０４の構成９００のいくつかの実施例において、無線信号の特性は事前に規定されている。第１のノード１０１における対応した方法に関して同様のまたは同一の利点および効果が当てはまる。
【００９５】
前記少なくとも１つの第２のリピータ１０４、２０４の構成９００のいくつかの実施例において、無線信号の特性は送信電力を含む。第１のノード１０１における対応した方法に関して同様のまたは同一の利点および効果が当てはまる。
【００９６】
前記少なくとも１つの第２のリピータ１０４、２０４の構成９００のいくつかの実施例において、無線信号は任意のデータ信号或いは基準信号である。第１のノード１０１における対応した方法に関して同様のまたは同一の利点および効果が当てはまる。
【００９７】
図１０は無線通信ネットワーク３００の概観を示す。無線通信ネットワーク３００は、図１に示したノードと中継器に加えて、第２のノード１０７を備える。第２のノード１０７は、第２のリピータ１０４を制御或いは管理する。従って、この実施例では、中継器１０３、１０４はそれぞれ、異なったノード、即ち、第１のノード１０１と第２のノード１０７に属するか関連している。なお、この実施例ではリピータを中継器に置き換えることができる。
【００９８】
実際の動作では、１つの例として、次のアップリンクシナリオが図１０に従うネットワークの動作を例示している。なお、しかしながら、本願の解決策はダウンリンクシナリオにも同様に適用可能である。第３のノード１０２は、矢印３１２で示されているように、データを直接に第１のノード１０１に送信する。追加的または代替策として、第３のノード１０２は、矢印３１６と３１３で示されているように、第１のリピータ１０３を介して第１のノード１０１にデータを送信する。データが第１のリピータ１０３によって転送される場合に、矢印３１５で示されているように、第１のリピータ１０３からの出力が第２のリピータ１０４によって受信され、第２のリピータ１０４はその到来する出力を増幅することが生じるかもしれない。同様に、第１のリピータ１０３は、矢印３１４で示されているように、第２のリピータ１０４からの出力を増幅するかもしれない。結果として、第３のノード１０２と第１のノード１０１との間の通信を破壊する可能性がある望まれない正帰還ループが生ずる。矢印３１７と３１１はこのアップリンクシナリオにおける干渉を表している。第２のノード１０７はメッセージを第２のリピータ１０４に送信することができる。このメッセージは、矢印３１１により表されている干渉信号の転送を停止するための第２のリピータ１０４に対する命令を備える。
【００９９】
さらに、矢印３１０は、第１のノード１０１と第２のノード１０７との間の情報交換を表す。最初に、その情報交換は、第１のノード１０１から第２のノード１０７へのメッセージに関連し、このメッセージは無線信号について測定を行うよう第２のリピータ１０４に指示するための第２のノード１０７に対する命令を備える。次に、その情報交換は、第２のノード１０７から第１のノード１０１へのメッセージに関連し、このメッセージは第２のリピータ１０４からの測定報告を備える。
【０１００】
図１１は、図１０に従う無線通信ネットワーク３００において実行される方法の実施例のフローチャートとシグナリング図とを組み合わせた図である。
【０１０１】
２１０  ステップ２１０では、第１のノード１０１は、第１のメッセージを第１のリピータ１０３、２０３に送信する。ここで、第１のメッセージは、第２のリピータ１０４、２０４により測定目的のために測定可能な無線信号を送信するための第１のリピータ１０３、２０３に対する命令を備える。
【０１０２】
２２１  ステップ２２１では、第１のメッセージは第１のノード１０１から送信されて、第２のノード１０７に送信される。ここで、第１のメッセージは、無線信号について測定を行うよう第２のリピータ１０４、２０４に指示するための命令を備える。
【０１０３】
２３０  オプションのステップ２３０では、確認応答メッセージが第２のノード１０７から第１のノード１０１に送信される。
【０１０４】
２２０  ステップ２２０では、第２のメッセージが第２のノード１０７から前記少なくとも１つの第２のリピータ１０４、２０４に送信される。ここで、第２のメッセージは、第１のリピータ１０３、２０３から受信される無線信号について測定を行うための前記少なくとも１つの第２のリピータ１０４、２０４に対する命令を備える。このメッセージは通常、基準信号記述子を含み、またおそらくは、その測定結果を基地局に返信するためのアップリンク資源も含む。また、測定中継器の挙動をこのメッセージで規定することができる。この挙動の例には、測定中継器が、例えば、フィルタリングによって、測定信号を抑圧するべきか否かというものがある。
【０１０５】
２４０  ステップ２４０では、第１のリピータ１０３、２０３は、命令に従って無線信号を前記少なくとも１つの第２のリピータ１０４、２０４に送信する。
【０１０６】
２５０  ステップ２５０では、第２のリピータ１０４、２０４は、第１のリピータ１０３、２０３から受信した無線信号について測定を行い、これによって測定データを生成する。測定中継器１０４は基準信号受信電力（ＲＳＲＰ）の測定し算出するように構成することができる。
【０１０７】
２５１  オプションのステップ２５１では、第１のノード１０１と第２のノード１０７との内の少なくともいずれかは、第１のリピータ１０３、２０３によって送信された無線信号を測定し、その無線信号の測定に基づいてノード測定データを生成し、そのノード測定データに基づいて、第１のリピータ１０３、２０３と第１のノード１０１との間の第２の無線リンクの無線特性を判定する。
【０１０８】
２６０  ステップ２６０では、第２のノード１０７は、前記少なくとも１つの第２のリピータ１０４、２０４から測定データ（或いは測定報告）を受信する。ここで、その測定データは前記少なくとも１つの第２のリピータ１０４、２０４によって測定され、そして、第１のリピータ１０３、２０３から受信した無線信号について測定されたものである。
【０１０９】
２６１  ステップ２６１では、測定データは第２のノード１０７から第１のノード１０１に送信される。
【０１１０】
２７０  オプションのステップ２７０では、第１のノード１０１は確認応答を第２のノード１０７に送信する。
【０１１１】
２７１  オプションのステップ２７１では、第２のノード１０７は確認応答を第２のリピータ１０４、２０４に送信する。
【０１１２】
２８０  ステップ２８０では、第１のノード１０１は、測定データに基づいて、第１のリピータ１０３、２０３と前記少なくとも１つの第２のリピータ１０４、２０４との間の無線リンクの無線特性を判定する。
【０１１３】
図１２は、第１のリピータ１０３或いは中継器２０３“第１のリピータ（１０３、２０３）”と少なくとも１つの第２のリピータ１０４或いは中継器２０４“第２のリピータ（１０４、２０４）”との間の無線リンクの無線特性の判定を実行する第１のノード１０１に測定データを供給する第２のノード１０７における代表的な方法のフローチャートを示す。無線信号は、第１のリピータ１０３、２０３から送信され、前記少なくとも１つの第２のリピータ１０４、２０４によって測定可能である。第１のリピータと前記少なくとも１つの第２のリピータとはそれぞれ、第１のノードと第２のノードによって管理される。無線通信ネットワーク３００は、第１のノード１０１と第２のノード１０７、及び、第１のリピータ１０３、２０３と前記少なくとも１つの第２のリピータ１０４、２０４とを備える。この方法は以下のステップを備える。
【０１１４】
２２１  ステップ２２１では、第２のノード１０７は、第１のメッセージを第１のノード１０１から受信する。ここで、第１のメッセージは、無線信号について測定を行うよう前記少なくとも１つの第２のリピータ１０４、２０４に指示するための命令を備える。
【０１１５】
２２０  ステップ２２０では、第２のノード１０７は、第２のメッセージを前記少なくとも１つの第２のリピータ１０４、２０４に送信する。ここで、第２のメッセージは、第１のリピータ１０３、２０３から受信される無線信号について測定を行うための前記少なくとも１つの第２のリピータ１０４、２０４に対する命令を備える。
【０１１６】
２６０  ステップ２６０では、第２のノード１０７は、前記少なくとも１つの第２のリピータ１０４、２０４から測定データを受信する。ここで、その測定データは、前記少なくとも１つの第２のリピータ１０４、２０４によって測定され、そして、第１のリピータ１０３、２０３から受信された無線信号について測定が行われたものである。
【０１１７】
２６１  ステップ２６１では、第２のノード１０７は、その測定データを第１のノードに送信し、これにより、その測定データを無線リンクの無線特性を判定する第１のノード１０１に供給する。
【０１１８】
第２のノード１０７における方法のいくつかの実施例において、無線信号の特性は事前に規定されている。第１のノード１０１における対応した方法に関して同様のまたは同一の利点および効果が当てはまる。
【０１１９】
第２のノード１０７における方法のいくつかの実施例において、無線信号の特性は送信電力を含む。第１のノード１０１における対応した方法に関して同様のまたは同一の利点および効果が当てはまる。
【０１２０】
第２のノード１０７における方法のいくつかの実施例において、無線信号は任意のデータ信号或いは基準信号である。第１のノード１０１における対応した方法に関して同様のまたは同一の利点および効果が当てはまる。
【０１２１】
図１３は、第１のリピータ１０３或いは中継器２０３“第１のリピータ（１０３、２０３）”と少なくとも１つの第２のリピータ１０４或いは中継器２０４“第２のリピータ（１０４、２０４）”との間の無線リンクの無線特性の判定を実行するように構成される第１のノード１０１に測定データを供給する構成１３００を備える第２のノード１０７の実施例のブロック図を示す。無線信号は、第１のリピータ１０３、２０３から送信可能であり、前記少なくとも１つの第２のリピータ１０４、２０４によって測定可能である。第１のノードと第２のノードそれぞれは、第１のリピータと前記少なくとも１つの第２のリピータをそれぞれ管理するように構成される。無線通信ネットワーク３００は、第１のノード１０１と第２のノード１０７と第１のリピータ１０３、２０３と前記少なくとも１つの第２のリピータ１０４、２０４とを備えるように構成される。構成１３００は、第１のメッセージを第１のノード１０１から受信するように構成される受信ユニット１３１０を備える。ここで、第１のメッセージは、無線信号について測定を行うよう前記少なくとも１つの第２のリピータ１０４、２０４に指示するための命令を備えるように構成される。さらに、構成１３００は、第２のメッセージを前記少なくとも１つの第２のリピータ１０４、２０４に送信するように構成される送信ユニット１３２０を備える。ここで、第２のメッセージは、第１のリピータ１０３、２０３から受信可能な無線信号について測定を行うための前記少なくとも１つの第２のリピータ１０４、２０４に対する命令を備えるように構成される。受信ユニット１３１０は更に、前記少なくとも１つの第２のリピータ１０４、２０４から測定データを受信するように構成される。ここで、その測定データは、前記少なくとも１つの第２のリピータ１０４、２０４によって測定可能であり、そして、第１のリピータ１０３、２０３から受信された無線信号について測定可能なものである。さらに、送信ユニット１３２０は、その測定データを第１のノードに送信し、これにより、測定データを、無線リンクの無線特性を判定するように構成された第１のノード１０１に供給するように構成される。
【０１２２】
第２のノード１０７の構成１３００のいくつかの実施例において、無線信号の特性は事前に規定されている。第１のノード１０１における対応した方法に関して同様のまたは同一の利点および効果が当てはまる。
【０１２３】
第２のノード１０７の構成１３００のいくつかの実施例において、無線信号の特性は送信電力を含む。第１のノード１０１における対応した方法に関して同様のまたは同一の利点および効果が当てはまる。
【０１２４】
第２のノード１０７の構成１３００のいくつかの実施例においては、無線信号は任意のデータ信号或いは基準信号である。第１のノード１０１における対応した方法に関して同様のまたは同一の利点および効果が当てはまる。
【０１２５】
本発明について、その具体的な代表的な実施例を参照して説明したが、多くの異なる代替、変形等は、当業者にとって明らかであろう。それ故に、ここで説明した実施例は、本発明の範囲を限定することを意図するものではなく、本発明の範囲は添付の請求の範囲によって規定されるものである。
【図１】
0005296883.tif 000002
【図２】
0005296883.tif 000003
【図３】
0005296883.tif 000004
【図４】
0005296883.tif 000005
【図５】
0005296883.tif 000006
【図６】
0005296883.tif 000007
【図７】
0005296883.tif 000008
【図８】
0005296883.tif 000009
【図９】
0005296883.tif 000010
【図１０】
0005296883.tif 000011
【図１１】
0005296883.tif 000012
【図１２】
0005296883.tif 000013
【図１３】
0005296883.tif 000014